(57)【特許請求の範囲】
【請求項１】
錠箱内で水平方向に摺動案内されフロント板から突出する方向に付勢させたラッチボルトを兼ねるデッドボルトを備えること；突出する位置に存するデッドボルトに選択的に係合して施錠する揺動可能なロッキングバーをデッドボルトに対し係合させる方向に付勢させること；錠箱内に非通電時に突出するプランジャを有するソレノイドを設けること；プランジャの先端部に該プランジャの中心軸線に沿って摺動可能であってその中心軸線の回りには回動不能な操作片を設けること；操作片は工具係着部又はつまみを有し、錠箱に対し回動可能に装着されていること；ソレノイドのプランジャの両側部に互にほぼ平行で構成レバーの数が互に異なる第１レバー列及び第２レバー列を備えること；操作片の回動変位により、第１レバー列の基端又は第２レバー列の基端をプランジャに選択的に係合させて連係させるため、少くも１つの突片を該プランジャに設けること；及び、第１レバー列の先端又は第２レバー列の先端をロッキングバーに対し選択的かつ各別に連係させることを構成条件とする電気錠における作動切換え装置。
【請求項２】
第１レバー列を不使用状態にしたとき、そのレバー列をロッキングバーに対し干渉させない位置に拘束させるため、操作片にカム部を設けたことを特徴とする請求項１記載の電気錠における作動切換え装置。
【発明の詳細な説明】
【０００１】
【産業上の利用分野】
この発明は、電気錠における作動切換え装置に関する。
【０００２】
【従来の技術】
非常口の扉に装着される電気錠として通電時施錠型のもの（ソレノイドに通電させている間施錠状態にするタイプの錠）を採用すると、非常時に断線その他により停電してもその際電気錠は自動的に解錠するので、避難する時に扉の開放に手間を取らず安全であるという利点がある。
【０００３】
しかしながら、通電時施錠型の電気錠は、建物の建設期間中（工事中）で電源が未使用の時は、取付け後必要に応じて施錠したい場合に扉をロープ等でくくり付けたりしなくてはならず不便なことがある。
【０００４】
【発明が解決しようとする課題】
この発明の電気錠における作動切換え装置は、電源が未使用の工事中であっても、施錠できるようにその使い勝手を改善する一方で、最終的な使用態様が前記のような通電時施錠型のもの又は非通電時施錠型のもののいずれであっても、切換え可能な２つのレバー列によってそれぞれに対応できるようにしたものである。
【０００５】
なお、後者の非通電時施錠型の電気錠とは、ソレノイドに対する通電が断たれた間施錠状態とするタイプの錠で、研究室又は重要物貯蔵室等の扉に対し用いるに適したものである。
【０００６】
【課題を解決するための手段】
上記の目的を解決するため、この発明の請求項１記載の発明は、錠箱内で水平方向に摺動案内され、フロント板から突出する方向に付勢させたラッチボルトを兼ねるデッドボルトを備えること；突出する位置に存するデッドボルトに選択的に係合して施錠する揺動可能なロッキングバーをデッドボルトに対し係合させる方向に付勢させること；錠箱内に非通電時に突出するプランジャを有するソレノイドを設けること；プランジャの先端部に該プランジャの中心軸線に沿って摺動可能であってその中心軸線の回りには回動不能な操作片を設けること；操作片は工具係着部又はつまみを有し、錠箱に対し回動可能に装着されていること；ソレノイドのプランジャの両側部に互にほぼ閉口で構成レバーの数が互に異なる第１レバー列及び第２レバー列を備えること；操作片の回動変位により、第１レバー列の基端又は第２レバー列の基端をプランジャに選択的に係合させて連係させるため、少くも１つの突片を該プランジャに設けること；及び、第１レバー列の先端又は第２レバー列の先端をロッキングバーに対し選択的かつ各別に連係させることを構成条件とする。
【０００７】
また、請求項２記載の発明は、請求項１の発明において、第１レバー列を不使用状態にしたとき、そのレバー列をロッキングバーに対し干渉させない位置に拘束させるため、操作片にカム部を設けたことを特徴とする。
【０００８】
【作用】
図１〜図３において、第１レバー列６はソレノイド４のプランジャ４１に係合した作動状態にあり、また、第２レバー列７はソレノイド４のプランジャ４１とは係合しておらず非作動状態にある。
【０００９】
そして、図１の状態では、ソレノイド４には通電されておらず、プランジャ４１は例えばソレノイド４内に内装されたバネの付勢により突出位置にあるので、第１レバー列６の先端はロッキングバー３を図１で左回りの付勢に抗して非係合位置に拘束させている。
【００１０】
従って、突出位置にラッチボルトを兼ねるデッドボルト２が突出していても、工事中でソレノイド４に対し通電が不能の場合は、プランジャ４１を引き込ませることはできず、ロッキングバー３の係合端部３１をデッドボルト２の首部等に係合させることができないから、施錠は不能である。
【００１１】
図３のように、ソレノイド４が通電されてプランジャ４１が引込み位置に至ると、第１レバー列６の先端によるロッキングバー３の拘束が解かれ、デッドボルト２はロッキングバー３の係合端部３１により突出状態に拘束されることになり、施錠が達成される。
【００１２】
第１レバー列６が作動状態にある時は、図示の電気錠は、前述のとおり通電時施錠型として機能する。
【００１３】
この電気錠を非通電時施錠型として機能させるときは、図１でフロント板１１を取り外し、操作片５の工具係着部５１にドライバ等を差し込み、例えば図６の矢印Ａで示すように左回りに９０°回動させる。
【００１４】
ここに、プランジャ４１の突片４２は図７に示すように第１レバー列６の基端から外れ、プランジャ４１の他の突片４２は第２レバー列７の基端に係合する。
【００１５】
この状態は第２レバー列７の作動状態であって、図示の電気錠は、非通電時施錠型として機能するので、ソレノイド４に通電されていない時でもプランジャ４１は突出位置にあってデッドボルト２による施錠が達成される（図４参照）。
【００１６】
第１レバー列６が非作動状態にされたとき、所定角度変位した操作片５上のカム部５４は、自動的に第１レバー列６の基端側に衝接して揺動させ、第１レバー列６の先端をロッキングバー３に対し干渉しないようにすることができる。
【００１７】
第１レバー列６の作動状態から第２レバー列７の作動状態に切換えが終了したら、フロント板１１を再び取り付けることは言うまでもない。また、元の状態に戻すためには、前記とは逆に操作すればよい。
【００１８】
工事中で電源が未使用の際は、この発明の電気錠では、第１レバー列６の作動状態では施錠が不能であるから、第２レバー列７の作動状態に切換えて、シリンダ錠又はサムターンで作動させる純機械的な非常用施解錠機構（図示しない）でロッキングバー３とデッドボルト２との係脱を行って施解錠する。
【００１９】
非常用施解錠機構は、電気的施解錠機構であるソレノイド４、操作片５、第１レバー列６及び第２レバー列７に併設されたもので、両機構はそれぞれ独立してロッキングバー３１を作動させる。
【００２０】
なお、通常の使用状態におけるこの発明の電気錠は、ソレノイド４に対する通電を鍵、磁石カード、テンキー又はスイッチ等で断続させて施解錠することは従来の電気錠と変わらない。
【００２１】
【実施例】
以下図面に示す実施例に基いてこの発明について説明する。
図１〜図５において、符号１は非常口又は研究室用の扉に固定される錠箱、１１はフロント板、１２は裏板、２は錠箱１内で水平方向に摺動案内され、フロント板１１から突出する方向にばね（図示しない）で付勢させたラッチボルトを兼ねるデッドボルトである。
【００２２】
前記のデッドボルト２には、周知のハンドル等の外部操作部材（図示しない）が連係させてあって、解錠時にデッドボルト２の引込み操作ができるようにしてある。
【００２３】
錠箱１の側板におけるデッドボルト２の近傍には、突出位置に存する該デッドボルト２の首部等に選択的に係合して施錠するロッキングバー３が揺動可能に枢支してあり、そのロッキングバー３は、その係合端部３１がデッドボルト２に対し係合する方向にねじりばね３２等で付勢させてある。
【００２４】
錠箱１内の上部には、非通電時に突出位置を占めるように付勢されたプランジャ４１を有するソレノイド４が設けてある。図示例のソレノイド４はその内側にプランジャ突出用のばねを設けた形式のものであるが、そのばねはプランジャ４１の露出部に設けることもできる。
【００２５】
前記のプランジャ４１の先端部には、該プランジャ４１の中心軸線に沿って摺動可能であってその中心軸線の回りに回動不能な例えば有底円筒状の操作片５が嵌装等により付設してある。
【００２６】
そして、その操作片５は、ドライバ等の工具が係脱される工具係着部５１又は手で回すことができるつまみ（図示しない）を有し、錠箱１の裏板１２に対し回動可能に装着されている。
【００２７】
符号４２はプランジャ４１に固設した後述の少くも１つの突片で、その突片４２はピンで作るとよい。５２はその突片４２をプランジャ４１の長さ方向に逃がすために操作片５に形成した逃げ溝、５３は裏板１２の貫通孔１３部分に嵌め込まれた操作片５の長さ方向への移動を阻止するために該操作片５の工具係着部５１に係止された止めリングである。
【００２８】
そして、ソレノイド４のプランジャ４１の両側部には、互にほぼ平行で構成レバー数が互に異なる第１レバー列６及び第２レバー列７を設ける。図示例では、第１レバー列６は１本の構成レバーで成り、第２レバー列７は２本の構成レバー７１、７２で成るが、各レバー列６、７の構成レバー数は任意に定めることができる。第２レバー列７の構成レバー７１、７２間は、例えばピンと長孔の組で成る連係手段７５で連係させてある。
【００２９】
図１及び図２の状態では、プランジャ４１の一方の突片４２が第１レバー列６の基端（上端）に係脱可能に係合させてあり、工具等により操作片５を例えば左回りに９０°回すと、プランジャ４１が共に回って、一方の突片４２が第１レバー６から外れ、他方の突片４２が第２レバー列７の基端（上端）に係脱可能に係合する。
【００３０】
プランジャ４１に突設させたピンその他の突片４２は、操作片５及びプランジャ４１を例えば１８０°回動させるようにすると、その１つを共通に用いて第１レバー列６と第２レバー列７との間で掛け外しするようにすることもできる。
【００３１】
第１レバー列６の先端（下端）並びに、第２レバー列７の先端（下端）は、ロッキングバー３に対しそれに突設したピンその他受け片３３を介し選択的かつ各別に連係させるようにしてある。
【００３２】
第１レバー列６及び第２レバー列７において、互に構成レバーの数を変えた理由は、ソレノイド４のプランジャ４１の突出又は引込みにより揺動する第１レバー列６及び第２レバー列７の先端の向く方向を互に変えるためである。
【００３３】
なお、図中、符号５４は、第１レバー列６の不使用時それをロッキングバー３対し干渉しない位置に拘束させるために、操作片５に設けたカム部、７３は第２レバー列７の一方の構成レバー７１を図１で左回りに付勢させるために設けたねじりばね、７４は前記の構成レバー７１のストッパをそれぞれ示す。
【００３４】
【発明の効果】
以上に説明したこの発明の作動切換え装置を採用した電気錠は、２つのレバー列間の切換えにより、通電時施錠型又は非通電時施錠型のいずれであっても、使用することができるので、扉に対する組付け作業の作業性を向上させるのみならず、建物の建設期間中で電源が未使用の場合でも、作業者の施解錠についての使い勝手を楽にする効果を奏する。
【図面の簡単な説明】
【図１】この発明の実施例の要部を第１レバー列作動状態の解錠時において示す縦断側面図。
【図２】その縦断正面図。
【図３】第１レバー列作動状態の施錠時において示すその縦断側面図（同図において非作動状態の第２レバー列はその記載を省略してある）。
【図４】第２レバー列作動状態の施錠時において示すその縦断側面図（同図において非作動状態の第１レバー列はその記載を省略してある）。
【図５】第２レバー列作動状態の解錠時において示すその縦断側面図（同図において非作動状態の第１レバー列はその記載を省略してある）。
【図６】作動状態における第１レバー列と円筒状操作片との連係状態を示す部分斜視図。
【図７】作動状態における第１レバー列が操作片のカム部により拘束された状態を示す部分斜視図。
【符号の説明】
１  錠箱
１１  フロント板
２  ラッチボルトを兼ねるデッドボルト
３  ロッキングバー
４  ソレノイド
４１  プランジャ
４２  突片
５  操作片
５１  工具係着部
５４  カム部
６  第１レバー列
７  第２レバー列
【図１】
0003637571.tif 000002
【図２】
0003637571.tif 000003
【図３】
0003637571.tif 000004
【図４】
0003637571.tif 000005
【図５】
0003637571.tif 000006
【図６】
0003637571.tif 000007
【図７】
0003637571.tif 000008